(57)【要約】【課題】ゴルフボールだけに限らず、クラブやシューズ等を含むゴルフ用品の汚れをいつでも拭き取ることができ、しかも嵩張ることがない携帯型クリーナーを提供する。【解決手段】ゴルフ用品の汚れを拭き取るのに適した材料からなる拭取用シート２と防水シート３とを重ね合わせ、両シートの縁部または縁部の一部を、縫製糸８によって縫合または着脱可能に接合し得る接合手段によって一体化してなることを特徴とする。【選択図】図４
2008264082.tif 000002
【特許請求の範囲】
【請求項１】
ゴルフ用品の汚れを拭き取るのに適した材料からなる拭取用シートと防水シートとを重ね合わせ、両シートの縁部または縁部の一部を、縫合または着脱可能に接合し得る接合手段によって一体化してなることを特徴とする携帯型クリーナー。
【請求項２】
上記接合手段として、上記拭取用シートと上記防水シートの対向面に、面ファスナーの掛着部および被掛着部がそれぞれ固着されている請求項１記載の携帯型クリーナー。
【請求項３】
上記接合手段として、上記拭取用シートと上記防水シートの対向面に、ホックおよびボタンがそれぞれ固着されている請求項１または２記載の携帯型クリーナー。
【請求項４】
上記防水シートを外側にして二つ折り以上に折り畳まれた上記携帯型クリーナーの折畳み形状を保持する留具が備えられている請求項１〜３のいずれか１項に記載の携帯型クリーナー。
【請求項５】
上記防水シートが上記拭取用シートのサイズよりも若干大きなサイズからなり、上記拭取用シート側に上記防水シートのはみだし部分が折り返され、その折返し部が上記拭取用シートと縫合されている請求項１記載の携帯型クリーナー。
【請求項６】
上記拭取用シートが吸水性を有し、上記拭取用シートに含ませた水の移動が上記折返し部によって止められるように構成されている請求項５記載の携帯型クリーナー。
【請求項７】
上記携帯型クリーナーの角部に吊り下げ用のストラップが備えられている請求項１〜６のいずれか１項に記載の携帯型クリーナー。
【請求項８】
上記携帯型クリーナーをベルトから吊り下げるための吊下部が、上記防水シートの外面に取り付けられている請求項１〜６のいずれか１項に記載の携帯型クリーナー。
【発明の詳細な説明】
【技術分野】
【０００１】
本発明は、ゴルフボール、クラブ、シューズ等のゴルフ用品に付着した汚れを落とすのに好適な携帯型クリーナーに関するものである。
【背景技術】
【０００２】
従来、ゴルフボールの汚れを落とすクリーナーとして携帯式の小型ゴルフボールクリーナーが知られている（例えば、特許文献１参照）。
【０００３】
上記小型ゴルフボールクリーナーは、開閉蓋を備えた密封性の高い容器の中に、水分を含みやすいスポンジ等で形成されたクリーナーを内蔵しており、ゴルファーのウエアのポケットに入れて持ち運ぶことができるようになっている。
【０００４】
なお、上記小型ゴルフボールクリーナー本体の裏側には、スライド式のブラシが収納されており、ブラシを突出させればゴルフクラブに付着した汚れもそのブラシでかき落とすことができるようになっている。
【０００５】
また、ゴルフボールの汚れを落とす携帯式クリーナーとして、上記した容器以外に袋の形態にした袋状クリーナーも知られている（例えば、特許文献２参照）。
【０００６】
この袋状クリーナーは、ボールを拭くのに適した例えばタオル地を袋状にし、その外側を防水性の材質、例えばビニールで覆っている。この袋状クリーナーを使用すれば、袋の中にゴルフボールを入れ外側から手で揉むようにすればゴルフボールの汚れを拭き取ることができるようになっている。
【０００７】
上記した各ゴルフボールクリーナーは、特に、キャディを付けずにプレイするセルフプレーヤーにとって、手軽にゴルフボールの汚れを落とすことができる点で便利とされている。
【特許文献１】実用新案登録第３０８３１３８号
【特許文献２】実用新案登録第３０７２１５８号
【発明の開示】
【発明が解決しようとする課題】
【０００８】
しかしながら、上記した各ゴルフボールクリーナーではゴルフボールの汚れしか拭き取ることができず、用途が限られるという欠点がある。
【０００９】
例えば、雨模様の中でプレイする場合、ゴルフボールだけが汚れるのだけでなくクラブについても同様に泥や芝等の汚れが付着する。
【００１０】
クラブに付着した汚れや雨で濡れたシャフト、グリップを拭き取るには乗用カートに備えられているタオルを使用することができる。ところが、その乗用カートをプレイ位置から遠い位置に待機させている場合には、汚れた、または濡れたクラブをそのまま使用せざるを得ず、その結果、ショットに影響するグローブまでも濡らしてしまうことになる。
【００１１】
本発明は以上のような従来のゴルフボールクリーナーにおける課題を考慮してなされたものであり、ゴルフボールだけに限らず、クラブやシューズ等を含むゴルフ用品の汚れをいつでも拭き取ることができ、しかも嵩張ることがない携帯型クリーナーを提供するものである。
【課題を解決するための手段】
【００１２】
本発明は、ゴルフ用品の汚れを拭き取るのに適した材料からなる拭取用シートと防水シートとを重ね合わせ、両シートの縁部または縁部の一部を、縫合または着脱可能に接合し得る接合手段によって一体化してなる携帯型クリーナーである。
【００１３】
上記接合手段として、上記拭取用シートと上記防水シートの対向面に、面ファスナーの掛着部および被掛着部をそれぞれ固着することができる。
【００１４】
また、上記接合手段として、上記拭取用シートと上記防水シートの対向面に、ホックおよびボタンをそれぞれ固着することもできる。
【００１５】
また、本発明は、上記防水シートを外側にして二つ折り以上に折り畳まれた上記携帯型クリーナーの折畳み形状を保持する留具を備えることができる。
【００１６】
また、本発明において、上記防水シートを上記拭取用シートのサイズよりも若干大きなサイズで形成し、上記拭取用シート側に上記防水シートのはみだし部分を折り返し、その折返し部を上記拭取用シートと縫合することができる。
【００１７】
それにより、拭取用シートの周囲に防水シートを窓枠状に配置することができるため、拭取用シートに付着した汚れがクリーナー１０からはみ出さすことを防止することができる。
【００１８】
また、本発明において、上記拭取用シートが吸水性を有し、上記拭取用シートに含ませた場合、水の移動は上記折返し部によって止めることができる。
【００１９】
また、本発明において、上記携帯型クリーナーの角部に吊り下げ用のストラップを備えれば、携帯用クリーナーを洗浄して干す場合や、ゴルフバックにクリップ等で取り付ける場合に便利となる。
【００２０】
また、本発明において、上記携帯型クリーナーをベルトから吊り下げるための吊下部を、上記防水シートの外面に取り付けることができる。それにより、ベルトから吊り下げて携帯することができるようになる。
【発明の効果】
【００２１】
本発明の携帯型クリーナーによれば、ゴルフボールに限らずクラブやシューズ等のゴルフ用品に幅広く使用することができ、しかも嵩張ることがないためポケットに入れて持ち歩くことができるという長所を有する。
【００２２】
また、吊下部を備えた携帯型クリーナーによれば、必要なときにベルト等から取り外してゴルフ用品の拭取りに使用することができるため、携帯型クリーナーを探すことなく即座に使用することができるという利点がある。
【発明を実施するための最良の形態】
【００２３】
以下、図面に示した実施の形態に基づいて本発明を詳細に説明する。
【００２４】
図１は、本発明に係る携帯型クリーナー（以下、クリーナーと略称する）の基本構成を、分解斜視図で示したものである。
【００２５】
同図において、クリーナー１は、汚れを拭き取るのに適した帯状または矩形状の拭取用シート２を内側に配置し、その外側に帯状または矩形状の防水シート３を配置し、両シートは重ね合わされた状態でその周囲を窓枠状に縫製または接着することにより接合されている。
【００２６】
なお、防水シート３のサイズは、拭取用シート２よりも一回り大きいサイズにすることが好ましい。
【００２７】
上記拭取用シート２としては、具体的には、吸水性の高い布製パイル地織物いわゆるタオル生地を使用することができ、プレイの条件に応じ乾燥状態で使用してもよく、また、水を染み込ませて使用することもできる。
【００２８】
上記防水シート３としては、具体的には、防水加工を施した化繊織り布や、ＰＰ、ＰＥ、ナイロン等の樹脂製フィルムシートを使用することができる。
【００２９】
上記クリーナー１は通常、折畳んだ状態で携帯されるが、折畳みの形態としては、その長手方向中央部分で二つ折りにしたもの、または、長手方向において３等分した位置を境として三つ折りしたものがそれぞれ示される。
【００３０】
図２〜図６は、それぞれクリーナー１の変形例を示したものである。なお、以下の説明において図１と同じ構成要素については同一符号を付してその説明を省略する。
【００３１】
図２に示すクリーナー１は、図１に示した拭取用シート２と防水シート３を使用している点で共通しているが、両者を面ファスナー（接合手段）を介して接合している点で相違している。
【００３２】
面ファスナーの被掛着部４ａは、防水シート３における拭取用シート２側の面に固着されており、上記被掛着部４ａに係合する掛着部４ｂは、拭取用シート２の背面で被掛着部４ａと対向する位置に固着されている。
【００３３】
また、上記面ファスナーの被掛着部４ａと平行に、防水シート３の下側にも被掛着部５ａが固着されている。この被掛着部５ａは、拭取用シート２の背面で被掛着部５ａと対向する位置に固着された面ファスナーの掛着部５ｂと係合するようになっている。
【００３４】
このように面ファスナーの掛着部４ｂ，５ｂと被掛着部４ａ，５ａを介して拭取用シート２と防水シート３とを接合したものは、拭取用シート２を防水シート３から剥がすことができるため、洗濯乾燥が簡単に行なえ、拭取用シート２を清潔に保つことができるという利点がある。また、複数回の使用に供することができる。
【００３５】
また、上記した被掛着部４ａ，５ａおよび掛着部４ｂ，５ｂは、不連続な状態で直列に配置することが好ましい。このように各被掛着部４ａ，４ｂ（または掛着部４ｂ，５ｂ）の間に不連続部分Ｓａを設ければ、その不連続部分Ｓａを折目Ｓｂとしてクリーナー１を正確に折り畳むことができるようになる。
【００３６】
図２に示したクリーナー１では防水シート３をその長手方向に３等分した位置に不連続部分Ｓａを設けているため、正確な三つ折りが可能である。
【００３７】
図３に示すクリーナー１もまた、図１の拭取用シート２と防水シート３を使用している点で共通しているが、両者を接合手段としてのホックおよびボタンを介して接合している点で相違している。
【００３８】
具体的には、防水シート３における拭取用シート２接合側の面にボタン６が複数（本実施形態では３箇所）固着され、これらのボタン６と冠着するホック７が拭取用シート２の背面に固着されている。
【００３９】
このように、ホック７とボタン６を用いて拭取用シート２と防水シート３とを接合する構成では、防水シート３に対する拭取用シート２の位置決めが簡単に行なえ、かつ確実な接合が得られる。
【００４０】
図４に示すクリーナー１は、拭取用シート２とその拭取用シート２のサイズよりも一回り大きなサイズからなる防水シート３とを有し、防水シート３の周囲を拭取用シート２側に折り返した状態で縫製している。なお、図中８は縫製糸を示している。
【００４１】
このように拭取用シート２の周囲にはみ出した防水シート３の四辺（以下、折返し部と呼ぶ）３ａ〜３ｄを拭取用シート２側に折り返して縫製すれば、クリーナー１の周囲が拭取用として使用されない折返し部３ａ〜３ｄで縁取りされることになり、拭取用シート２に付着した汚れがクリーナー１からはみ出しにくくなる。それにより、クリーナー１をウエアのポケットに入れてもポケット内を汚す虞れがない。ただし、折返し部３ａ〜３ｄは略同じ幅である。
【００４２】
なお、図中、９はクリーナー１の角部に形成された金属はとめ付きの孔部であり、１０はその孔部９に通されたストラップである。このようにストラップ１０を取り付けることにより、クリーナー１をキャディバッグや乗用カートのフック形状部分等に吊り下げて使用することも可能になる。
【００４３】
図５に示すクリーナー１は、図４に示したものと基本的に同じ構成であるが、下辺の折返し部３ｃ′の幅ｌが、図４に示した折返し部３ｃの幅ｍに比べ長く形成されている。
また、折返し部３ｃにおける縫製糸８′は、防水シート３の下縁寄りに位置している。それにより、折返し部３ｃ′は、拭取用シート２に含ませた水が下方に移動してもそれを受けることができる水受けポケットとして機能するようになっている。
【００４４】
上述した各クリーナー１は、図６に示すように二つ折り、または図中７に示すように三つ折りにして携帯することができる。
【００４５】
なお、図６に示したようにクリーナー１を二つ折りする場合には、折返し部３ｂと３ｄ（図４参照）の中央に、面ファスナー１１の掛着部１１ａと被掛着部１１ｂを対向する状態で固定し、面ファスナー１１を当接させて二つ折りされた状態が保持されるように構成することが好ましい。
【００４６】
また、図７に示したようにクリーナー１を三つ折りする場合には、第一の折返し面１ａの山折り部中央にホック１２ａを取り付け、第二の折返し面１ｂにおけるホック１２ａに対応する位置にボタン１２ｂを取り付け、両者を係合させることによって三つ折りされた状態が保持されるように構成することが好ましい。
【００４７】
図８〜図１１は本発明のクリーナー１を吊下げタイプにしたものである。
【００４８】
図８に示す吊下げタイプのクリーナー１は、ベルト１３から吊り下げられるように構成したものである。
【００４９】
同図において、上向きに二つ折りされたクリーナー１の開放側端部１ｃ中央から舌片状の吊下げ部１４が上向きに延設されており、この吊下げ部１４は、スラックス１５とベルト１３との間に下から差し込んで折り返すことができるように構成されている。
【００５０】
折り返された吊下げ部１４の先端部１４ａにはボタン１６が設けられており、このボタン１６を、クリーナー１の別の開放側端部１ｄに設けられたホック１７と係合させることにより、クリーナー１をベルト１３に着脱自在に取り付けることができるようになっている。
【００５１】
図９に示す吊下げタイプのクリーナー１もまた舌片状の吊下げ部１８が上向きに延設されており、この吊下げ部１８は、スラックス１５とベルト１３との間に下から差し込んで折り返すことができるように構成されている。
【００５２】
折り返された吊下げ部１８の先端部１８ａには面ファスナーの掛着部１９ａが取り付けられ、吊下げ部１８の基端部１８ｂには面ファスナーの被掛着部１９ｂが取り付けられている。
【００５３】
したがって、面ファスナーの掛着部１９ａを被掛着部１９ｂに当接すれば、クリーナー１をベルト１３から吊り下げることができ、掛着部１９ａを被掛着部１９ｂから離脱させれば、クリーナー１をベルト１３から取り外すことができるようになっている。
【００５４】
なお、図９に示すクリーナー１は、三つ折りタイプで構成されており、固定側の平面１ｅと、第一の折返し面１ｆと、第二の折返し面１ｇとで構成されている。
【００５５】
この場合、上記第一の折返し面１ｆが平面１ｅに折り畳まれた状態を保持できるよう、平面１ｅおよび第一の折返し面１ｆが対向する対向面の左右両側に、面ファスナーの被掛着部２０ａと掛着部２０ｂとを対応する状態で取り付ける必要がある。
【００５６】
図１０は吊下げ部の別の形態を示したものである。
【００５７】
同図において、下向きに二つ折りされたクリーナー１の山折部１ｈには舌片状、より具体的には、先端側の左右角部がアールに形成されている吊下げ部２１が上向きに延設されており、この吊下げ部２１をスラックス１５とベルト１３の間に下から差し込むように構成されている。
【００５８】
上記吊下げ部２１の材質は、滑り止め効果を発揮する例えばゴム材または表面にゴムシートを貼着した布地で構成されているため、吊下げ部２１をスラックス１５とベルト１３の間に下から差し込むだけでの簡単な操作でクリーナー１をベルト１３から吊り下げることができるようになっている。
【００５９】
図１１は本発明に係るクリーナー１の他の吊下げ方法を示したものである。
【００６０】
下向きに二つ折りしたクリーナー１の山折り部１ｉをスラックス１５とベルト１３の間に差し込み、その山折り部１ｉをベルト１３の外側に折り返すことによってもクリーナー１をベルト１３から吊り下げることができる。なお、この場合、山折り部１ｉの長さは、折り返しに十分な長さを確保するものとする。
【図面の簡単な説明】
【００６１】
【図１】本発明に係るクリーナーの分解斜視図である。
【図２】本発明に係るクリーナーにおいて、拭取用シートと防水シートの第一の接合方法を示す斜視図である。
【図３】本発明に係るクリーナーにおいて、拭取用シートと防水シートの第二の接合方法を示す斜視図である。
【図４】本発明に係る、折返し部を有するクリーナーの斜視図である。
【図５】本発明に係る、水受け部を有するクリーナーの斜視図である。
【図６】二つ折りされたクリーナーを示す斜視図である。
【図７】三つ折りされたクリーナーを示す斜視図である。
【図８】本発明に係る、吊下げタイプのクリーナーを示す斜視図である。
【図９】本発明に係る、別の吊下げタイプのクリーナーを示す斜視図である。
【図１０】本発明に係る、さらに別の吊下げタイプのクリーナーを示す斜視図である。
【図１１】本発明に係るクリーナーの他の吊下げ方法を示す斜視図である。
【符号の説明】
【００６２】
１    クリーナー
２    拭取用シート
３    防水シート
３ａ〜３ｄ  折返し部
４ａ  被掛着部
４ｂ  掛着部
５ａ  被掛着部
５ｂ  掛着部
６    ボタン
７    ホック
８    縫製糸
９    孔部
１０    ストラップ
１１    面ファスナー
１１ａ  掛着部
１１ｂ  被掛着部
１２ａ  ホック
１２ｂ  ボタン
１３    ベルト
１４    吊下げ部
１５    スラックス
１６    ボタン
１７    ホック
１８    吊下げ部
１９ａ  掛着部
１９ｂ  被掛着部
２０ａ  被掛着部
２０ｂ  掛着部
２１    吊下げ部
【図１】
2008264082.tif 000003
【図２】
2008264082.tif 000004
【図３】
2008264082.tif 000005
【図４】
2008264082.tif 000006
【図５】
2008264082.tif 000007
【図６】
2008264082.tif 000008
【図７】
2008264082.tif 000009
【図８】
2008264082.tif 000010
【図９】
2008264082.tif 000011
【図１０】
2008264082.tif 000012
【図１１】
2008264082.tif 000013